(57)【要約】【課題】  鋼板によりバックアップがなされたコンクリート製外壁面材であっても、パネル小口に鋼板が存在することのない外壁面材およびその製法を提供する。【解決手段】  バックアップ鋼板２０を備えてなるコンクリート製外壁面材Ｍであって、バックアップ鋼板２０の側面上端２１ａが、コンクリート板１０の外表面１１より所定距離控えた位置とされてなるものである。この外壁面材Ｍは、型枠予備体３０を形成し、型枠予備体３０を用いて型枠Ｆを形成し、型枠Ｆ内にコンクリートＣを打設し、打設されたコンクリートＣを養生し、その後型枠予備体３０の側面上半部３１ｂを切り取りって型枠予備体３０をバックアップ鋼板２０とする。【選択図】  図１
2006249772.tif 000002
【特許請求の範囲】
【請求項１】
バックアップ鋼板を備えてなるコンクリート製外壁面材であって、前記バックアップ鋼板の側面の上端が、コンクリート板の外表面より所定距離控えた位置とされてなることを特徴とするコンクリート製外壁面材。
【請求項２】
バックアップ鋼板を備えてなるコンクリート製外壁面材の製法であって、
型枠予備体を形成する手順と、
前記型枠予備体を用いて型枠を形成する手順と、
前記型枠内にコンクリートを打設する手順と、
打設されたコンクリートを養生する手順と、
前記型枠予備体の側面上半部を切り取り、同型枠予備体をバックアップ鋼板とする手順
とを含んでいることを特徴とするコンクリート製外壁面材の製法。
【請求項３】
型枠予備体の側面のバックアップ鋼板の上端に対応する位置に切取線が設けられていることを特徴とする請求項２記載のコンクリート製外壁面材の製法。
【請求項４】
切取線上に透孔が所定間隔で設けられていることを特徴とする請求項３記載のコンクリート製外壁面材の製法。
【請求項５】
切取線が所定長さのスリットを所定間隔で配設して形成されていることを特徴とする請求項３記載のコンクリート製外壁面材の製法。
【請求項６】
型枠予備体の側面上半部に切取線に直交させてスリットが形成されていることを特徴とする請求項３記載のコンクリート製外壁面材の製法。
【請求項７】
型枠予備体の側面上半部に把持部が設けられていることを特徴とする請求項３記載のコンクリート製外壁面材の製法。
【発明の詳細な説明】
【技術分野】
【０００１】
本発明はコンクリート製外壁面材およびその製法に関する。さらに詳しくは、面材のバックアップに鋼板が設けられてなるコンクリート製外壁面材およびその製法に関する。
【背景技術】
【０００２】
従来より、コンクリート製外壁面材（以下、単に外壁面材という）Ｍ’として、図１３に示すように、コンクリート板１０の背面に鋼板２０‘を設けてなるもの、つまり面材Ｍ’を鋼板２０‘によりバックアップしてなるものが知られている。
【０００３】
かかる外壁面材Ｍ’においては、バックアップ鋼板２０‘をコンクリート打設時の型枠に兼用し、かつその側面２１の上端２１ａを定規として利用しているため、バックアップ鋼板２０‘の側面２１の上端２１ａとコンクリート板１０の表面１１とが面一となる。そのため、かかる外壁面材Ｍ’を用いて外壁パネルを構成した場合、図１４に示すように、パネル小口に鋼板２０‘が存在することとなり、縦目地部４０’における乾式目地などによる止水が困難である問題がある。また、錆が発生する要因ともなり、建物の美観を損なうおそれもあるという問題もある。
【発明の開示】
【発明が解決しようとする課題】
【０００４】
本発明はかかる従来技術の課題に鑑みなされたものであって、鋼板によりバックアップがなされたコンクリート製外壁面材であっても、パネル小口に鋼板が存在することのない外壁面材およびその製法を提供することを目的としている。
【課題を解決するための手段】
【０００５】
本発明のコンクリート製外壁面材は、バックアップ鋼板を備えてなるコンクリート製外壁面材であって、前記バックアップ鋼板の側面の上端が、コンクリート板の外表面より所定距離控えた位置とされてなることを特徴とする。
【０００６】
一方、本発明のコンクリート製外壁面材の製法は、バックアップ鋼板を備えてなるコンクリート製外壁面材の製法であって、型枠予備体を形成する手順と、前記型枠予備体を用いて型枠を形成する手順と、前記型枠内にコンクリートを打設する手順と、打設されたコンクリートを養生する手順と、前記型枠予備体の側面上半部を切り取り、同型枠予備体をバックアップ鋼板とする手順とを含んでいることを特徴とする。
【０００７】
本発明のコンクリート製外壁面材の製法においては、型枠予備体の側面のバックアップ鋼板の上端に対応する位置に切取線が設けられているのが好ましい。
【０００８】
また、本発明のコンクリート製外壁面材の製法においては、切取線上に透孔が所定間隔で設けられているのが好ましい。
【０００９】
さらに、本発明のコンクリート製外壁面材の製法においては、切取線が所定長さのスリットを所定間隔で配設して形成されていてもよい。
【００１０】
さらに、本発明のコンクリート製外壁面材の製法においては、型枠予備体の側面上半部に切取線に直交させてスリットが形成されているのが好ましい。
【００１１】
さらに、本発明のコンクリート製外壁面材の製法においては、型枠予備体の側面上半部に把持部が設けられているのが好ましい。
【発明の効果】
【００１２】
本発明によれば、外壁面材を用いて構成された外壁パネルの小口に鋼板が存在しないので、目地部の仕舞が容易となり施工性がよいという優れた効果が得られる。また、小口に鋼板が存在しないので、鋼板の錆により建物の外観が損なわれるということもないという優れた効果が得られる。
【発明を実施するための最良の形態】
【００１３】
以下、添付図面を参照しながら本発明を実施形態に基づいて説明するが、本発明はかかる実施形態のみに限定されるものではない。
【００１４】
本発明の一実施形態に係るコンクリート製外壁面材（以下、単に外壁面材という）の要部を図１に拡大断面図で示す。
【００１５】
外壁面材Ｍは、図１に示すように、コンクリート板１０と、コンクリート板１０をバックアップするバックアップ鋼板２０とを主要構成要素として備えてなるものとされる。
【００１６】
コンクリート板１０は、ＧＲＣ（ガラス繊維補強）コンクリートなどの各種コンクリートからなるものとされる。
【００１７】
バックアップ鋼板２０は軟鋼鋼板とされ、例えばロール成型により偏平溝型状に形成され、その底面２２外面には数条の蟻溝２３が長手方向に形成されている。つまり、底面２２を内側に突出させて蟻溝２３が形成されている。この蟻溝２３には、例えば外壁面材Ｍをパネルフレームに装着するためのナットが装着される。なお、バックアップ鋼板２０は、端部が例えば折り曲げ成形されて箱形状とされてもよい。
【００１８】
また、偏平溝型状に形成されたバックアップ鋼板２０の側面２１の上端２１ａは、図１に示すように、コンクリート板１０の外表面１１より所定距離控えた位置とされている。例えば、上端２１ａがコンクリート板１０の側面１２のほぼ中央に位置となるようにされている。これにより、外壁面材Ｍを用いて外壁パネルを構成しても、パネル小口に鋼板２０が存在することはなくなる。
【００１９】
次に、図２〜図７を参照しながら、かかる構成とされている外壁面材Ｍの製法について説明する。
【００２０】
手順１：鋼板を偏平溝型状に成形して型枠予備体３０とし（図２参照）、ついで両端部に端板を配置し、あるいは折り曲げ加工して型枠予備体３０を箱型状に形成する。つまり、型枠予備体３０を型枠Ｆに形成する。この状態においては、型枠予備体３０の側面３１の上端３１ａは、コンクリート板１０の表面（外表面）１１と面一となるようにされている。つまり、上端３１ａを定規として用いることができるようにして型枠予備体３０の成形がなされる。また、外壁面材Ｍとして完成された状態におけるバックアップ鋼板２０の側面２１の上端２１ａの内側に相当する位置には、図３に示すように、側面３１の上半部３１ｂを切り取るための切取線３５がＶ溝状に設けられている。この切取線３５には、切り取りを容易にするため、円形の透孔３５ａが所定間隔で設けられている。この場合、切り取られる上半部３１ｂに切取線３５に直交させてスリット３６が適宜間隔で設けられてもよい（図３参照）。
【００２１】
手順２：型枠Ｆを定盤Ｊにセットする（図４参照）。
【００２２】
手順３：定盤Ｊにセットされた型枠Ｆ内にコンクリートＣを打設する（図５参照）。
【００２３】
手順４：型枠予備体３０の側面３１の上端３１ａを定規として用いコンクリートＣのレベル出しを行う（図６参照）。つまり、コンクリートＣの表面仕上げを行う。
【００２４】
手順５：所定の養生の後、型枠予備体３０の側面３１の上半部３１ｂを切取線３５より切り取り、例えば上半部を外方に折り曲げて切取線３５より切断し、型枠予備体３０をバックアップ鋼板２０とする（図７参照）。
【００２５】
手順６：上半部３１ｂが切り取られて露出したコンクリート板１０の側面１２を整形する。
【００２６】
この一連の手順により、外壁面材Ｍが完成する。
【００２７】
図８に、かかる外壁面材Ｍを用いて構成された外壁パネルの縦目地部４０を示す。この縦目地部４０には、図８に示すように、パネル小口に鋼板２０が存在しないので、この縦目地部４０の仕舞は、乾式目地あるいは湿式目地にてなすことができる。そのため、施工性がよい。また、パネル小口に鋼板が存在しないので、鋼板の錆により建物の外観が損なわれることもない。
【００２８】
以上、本発明を実施形態に基づいて説明してきたが、本発明はかかる実施形態のみに限定されることなく、種々改変が可能である。例えば、切取線３５の形態は図３に示すものに限定されるものではなく適宜とできる。例えば、切取線３５は、図９に示すように、所定長さのスリット３５ｂを所定間隔で設けてなるものとされてもよく、図１０に示すように、円形の透孔３５ａに代えて半円形の透孔３５ｃとされてもよい。図１０に示す場合においては、半円形を内方に折り曲げ成形して透孔３５ｃが形成されてもよい。また、切取線３５はＶ溝状に限定されるものではなく、図１１に示すように、Ｘ溝状とされてもよい。さらに、図１２に示すように、側面３１の上端３１ａに把持部３１ｃが設けられてもよい。
【産業上の利用可能性】
【００２９】
本発明は、バックアップ鋼板を備えた各種コンクリート製外壁面材に適用できる。
【図面の簡単な説明】
【００３０】
【図１】本発明の一実施形態に係るコンクリート製外壁面材の要部拡大図である。
【図２】本発明のコンクリート製外壁面材の製法における工程の説明図であって、バックアップ鋼板を偏平溝型状に成形した状態を示す。
【図３】バックアップ鋼板の２面図であって、同（ａ）は正面図を示し、同（ｂ）は側面図を示す。
【図４】本発明のコンクリート製外壁面材の製法における工程の説明図であって、バックアップ鋼板を定盤にセットした状態を示す。
【図５】本発明のコンクリート製外壁面材の製法における工程の説明図であって、バックアップ鋼板内にコンクリートを打設している状態を示す。
【図６】本発明のコンクリート製外壁面材の製法における工程の説明図であって、コンクリートのレベル出しをしている状態を示す。
【図７】本発明のコンクリート製外壁面材の製法における工程の説明図であって、バックアップ鋼板の側面の上半部を切り取っている状態を示す。
【図８】本発明の外壁面材を用いて構成された外壁パネルの縦目地部の水平断面図である。
【図９】バックアップ鋼板の側面に形成される切取線の他の形態の概略図である。
【図１０】バックアップ鋼板の側面に形成される切取線のさらに他の形態の概略図である。
【図１１】バックアップ鋼板の側面に形成される切取線のさらに他の形態の概略図である。
【図１２】バックアップ鋼板の変形例の要部概略図である。
【図１３】従来のコンクリート製外壁面材の図１相当図である。
【図１４】従来のコンクリート製外壁面材を用いて構成された外壁パネルの縦目地部の水平断面図である。
【符号の説明】
【００３１】
１０      コンクリート板
１１      表面（外表面）
１２      側面
２０      バックアップ鋼板
２１      側面
２１ａ    側面上端
２２      底面
２３      蟻溝
３０      型枠予備体
３１ａ    側面上端
３１ｂ    側面上半部
３１ｃ    把持部
３５      切取線
３６      スリット
４０      縦目地部
Ｃ      コンクリート
Ｆ      型枠
Ｊ      定盤
Ｍ      コンクリート製外壁面材
【図１】
2006249772.tif 000003
【図２】
2006249772.tif 000004
【図３】
2006249772.tif 000005
【図４】
2006249772.tif 000006
【図５】
2006249772.tif 000007
【図６】
2006249772.tif 000008
【図７】
2006249772.tif 000009
【図８】
2006249772.tif 000010
【図９】
2006249772.tif 000011
【図１０】
2006249772.tif 000012
【図１１】
2006249772.tif 000013
【図１２】
2006249772.tif 000014
【図１３】
2006249772.tif 000015
【図１４】
2006249772.tif 000016